(57)【特許請求の範囲】
【請求項１】
暗電流ヒューズに対する接触子が内部に設けられるヒューズブロックのヒューズ着脱開口部の外側に、前記暗電流ヒューズの幅方向又は厚み方向で一対となり且つ前記ヒューズ着脱開口部における前記暗電流ヒューズの着脱方向に突出する壁を一体に設け、該一対の壁それぞれの内面には、配置が前記着脱方向となる少なくとも二種類の突起を設けてなり、
前記二種類の突起は、前記暗電流ヒューズを前記ヒューズ着脱開口部に装着したときに、前記暗電流ヒューズが前記ヒューズ着脱開口部から脱落するのを防止する第１の突起と、前記暗電流ヒューズを前記ヒューズ着脱開口部に対して着脱するときに、前記第１の突起を乗り越えるのに要する力よりも小さい力で乗り越え下方に落下しないように仮係止する第２の突起と、からなり、前記暗電流ヒューズを、前記第１の突起と前記第２の突起とで挟んで前記暗電流ヒューズと前記接触子との非接触状態を保持する
ことを特徴とする暗電流ヒューズの断続機構。
【請求項２】
請求項１に記載の暗電流ヒューズの断続機構において、
前記二種類の突起のうち、前記ヒューズ着脱開口部から遠い方の前記第１の突起を、近い方の前記第２の突起よりも大きく突出するように設ける
ことを特徴とする暗電流ヒューズの断続機構。
【請求項３】
請求項１又は請求項２に記載の暗電流ヒューズの断続機構において、
前記一対の壁それぞれに、前記暗電流ヒューズを前記着脱方向に案内するガイドを設ける
ことを特徴とする暗電流ヒューズの断続機構。
【請求項４】
請求項３に記載の暗電流ヒューズの断続機構において、
前記一対の壁及び前記ガイドによる平面視形状を略括弧状にする
ことを特徴とする暗電流ヒューズの断続機構。
【発明の詳細な説明】
【技術分野】
【０００１】
本発明は、バッテリーに直結される電装品回路用の暗電流ヒューズを断続させる機構に関する。
【背景技術】
【０００２】
図８において、電気接続箱１には、数多くのヒューズブロック２が設けられている。各ヒューズブロック２には、一般的なヒューズ３が接続されるようになっている。数多くのヒューズブロック２の中で一つだけ高く突出するヒューズブロック４は、暗電流ヒューズ５を断続させるためのものとして設けられている。ヒューズブロック４は、一般的なヒューズ３用のヒューズブロック２と見分けがつくように一段高い形状に形成されている。暗電流ヒューズ５は、自動車の場合、製造後からユーザーに渡すまでの間にバッテリーに直結される例えば時計等の暗電流部品の回路を電気的にＯＦＦさせておく際に用いられるものであって、自動車製造工場で暗電流ヒューズ５を抜き取り、ユーザーに渡す時にディーラーにおいてヒューズブロック４に差し込み接続されるようになっている。
【０００３】
ところで、上記構造にあっては、抜き取った後の暗電流ヒューズ５の保管が大変であるとともに、暗電流ヒューズ５の紛失が懸念されることから、下記特許文献１にあっては、ヒューズホルダを用いる提案がなされている（図示省略）。ヒューズホルダは、自身及び暗電流ヒューズをヒューズブロックに対してスライドさせるような機構を有している。ヒューズホルダは、ヒューズブロックよりも一回り大きく形成されている。また、ヒューズブロックに対して外嵌するような形状にも形成されている。
【先行技術文献】
【特許文献】
【０００４】
【特許文献１】特開平５−１５９６９３号公報
【発明の概要】
【発明が解決しようとする課題】
【０００５】
上記ヒューズホルダは、ヒューズブロックの外側に嵌合する形状であることから、暗電流ヒューズ用のヒューズブロックよりも一回り大きく形成されており、このためヒューズブロックの周囲にヒューズホルダ用のスペースを確保しなければならないという問題点を有している。また、上記スペース分の材料費が嵩んでしまうという問題点を有している。この他、ヒューズホルダは専用の部品となることから、部品費が嵩むのは勿論のこと、組み付け前の部品管理が大変であるという問題点を有している。また、専用の部品であることから、その分、設計工数が嵩み短納期で電気接続箱を製品化する際に影響を来してしまうという問題点を有している。
【０００６】
本発明は、上記した事情に鑑みてなされたもので、ヒューズホルダのような専用部品を必要とせずに暗電流ヒューズの断続を可能とする、暗電流ヒューズの断続機構を提供することを課題とする。
【課題を解決するための手段】
【０００７】
上記課題を解決するためになされた請求項１記載の本発明の暗電流ヒューズの断続機構は、暗電流ヒューズに対する接触子が内部に設けられるヒューズブロックのヒューズ着脱開口部の外側に、前記暗電流ヒューズの幅方向又は厚み方向で一対となり且つ前記ヒューズ着脱開口部における前記暗電流ヒューズの着脱方向に突出する壁を一体に設け、該一対の壁それぞれの内面には、配置が前記着脱方向となる少なくとも二種類の突起を設けてなり、
前記二種類の突起は、前記暗電流ヒューズを前記ヒューズ着脱開口部に装着したときに、前記暗電流ヒューズが前記ヒューズ着脱開口部から脱落するのを防止する第１の突起と、前記暗電流ヒューズを前記ヒューズ着脱開口部に対して着脱するときに、前記第１の突起を乗り越えるのに要する力よりも小さい力で乗り越え下方に落下しないように仮係止する第２の突起と、からなり、前記暗電流ヒューズを、前記第１の突起と前記第２の突起とで挟んで前記暗電流ヒューズと前記接触子との非接触状態を保持することを特徴とする。
【０００８】
このような特徴を有する本発明によれば、暗電流ヒューズは一対の壁それぞれの内面に設けられる二種類の突起に係止される。暗電流ヒューズは、ヒューズ着脱開口部の直上で二種類の突起に係止されると、接触子に対し非接触となる。暗電流ヒューズは、二種類の突起に係止された状態からヒューズ着脱開口部の内部へ真っ直ぐに押し込まれると、接触子に対し接触する。これにより電装品回路は電気的にＯＮされる。本発明では、一対の壁が暗電流ヒューズ用であることの目印になる。
【０００９】
請求項２記載の本発明の暗電流ヒューズの断続機構は、請求項１に記載の暗電流ヒューズの断続機構において、前記二種類の突起のうち、前記ヒューズ着脱開口部から遠い方の前記第１の突起を、近い方の前記第２の突起よりも大きく突出するように設けることを特徴とする。
【００１０】
このような特徴を有する本発明によれば、ヒューズ着脱開口部の内部への押し込みがし易くなるとともに、押し込みの方向に対して逆方向への移動、すなわち脱落の方向への移動はし難くなる。
【００１１】
請求項３記載の本発明の暗電流ヒューズの断続機構は、請求項１又は請求項２に記載の暗電流ヒューズの断続機構において、前記一対の壁それぞれに、前記暗電流ヒューズを前記着脱方向に案内するガイドを設けることを特徴とする。
【００１２】
このような特徴を有する本発明によれば、ヒューズ着脱開口部の内部へと暗電流ヒューズが押し込まれる際に、或いは暗電流ヒューズが離脱する際に、ガイドにより案内される。
【００１３】
請求項４記載の本発明の暗電流ヒューズの断続機構は、請求項３に記載の暗電流ヒューズの断続機構において、前記一対の壁及び前記ガイドによる平面視形状を略括弧状にすることを特徴とする。
【００１４】
このような特徴を有する本発明によれば、ヒューズ着脱開口部の内部へと暗電流ヒューズが押し込まれる際に、或いは暗電流ヒューズが離脱する際に、平面視略括弧状となる部分により案内される。
【発明の効果】
【００１５】
請求項１に記載された本発明によれば、ヒューズ着脱開口部の外側に一対の壁を一体に設けるとともに、この壁に少なくとも二種類の突起を設けることにより、従来のような専用部品となるヒューズホルダを必要とせずに暗電流ヒューズの断続をすることができるという効果を奏する。また、本発明によれば、ヒューズブロックの周囲に大きなスペースを確保する必要がなく、最小限の材料費の嵩みで暗電流ヒューズの断続をすることができるという効果を奏する。さらに、専用部品を必要としないことから、設計工数が嵩んでしまうことを抑えるとともに短納期での製品化を図ることができるという効果を奏する。
【００１６】
請求項２に記載された本発明によれば、接続し易く且つ脱落し難い機構にすることができるという効果を奏する。
【００１７】
請求項３、４に記載された本発明によれば、暗電流ヒューズの断続を確実且つ正確に行うことができるという効果を奏する。
【図面の簡単な説明】
【００１８】
【図１】本発明の暗電流ヒューズの断続機構を示す図であり、離脱時→挿入時→引き抜き時→元に戻るの一連の流れを示す図である。
【図２】ヒューズブロックの斜視図である。
【図３】ヒューズブロックの斜視図（断面を含む）である。
【図４】暗電流ヒューズ離脱時の斜視図（断面を含む）である。
【図５】暗電流ヒューズ離脱時の正面図（断面を含む）である。
【図６】暗電流ヒューズ挿入時の斜視図（断面を含む）である。
【図７】暗電流ヒューズ挿入時の正面図（断面を含む）である。
【図８】従来例の電気接続箱の斜視図（断面を含む）である。
【発明を実施するための形態】
【００１９】
ヒューズブロックは、ヒューズ着脱開口部の外側に一対の壁を有する。この一対の壁は、暗電流ヒューズの着脱方向に突出するように一体に設けられる。一対の壁それぞれの内面には、少なくとも二種類の突起が設けられる。暗電流ヒューズは、ヒューズ着脱開口部の直上で二種類の突起に係止される。暗電流ヒューズは、二種類の突起に係止されると、接触子に対して非接触となり、ヒューズ着脱開口部の内部へ真っ直ぐに押し込まれると、接触子に対して接触する。暗電流ヒューズが接触子に接触すると、電装品回路は電気的にＯＮされる。
【実施例】
【００２０】
以下、図面を参照しながら実施例を説明する。図１は本発明の暗電流ヒューズの断続機構を示す図である。また、図２はヒューズブロックの斜視図、図３は断面を含むヒューズブロックの斜視図、図４及び図６は断面を含む暗電流ヒューズ離脱時及び挿入時の斜視図、図５及び図７は断面を含む暗電流ヒューズ離脱時及び挿入時の正面図である。
【００２１】
図１において、引用符号１１は公知の暗電流ヒューズを示している。また、引用符号１２は暗電流ヒューズ１１用となるヒューズブロックを示している。ヒューズブロック１２は、自動車等の車両に搭載される図示しない電気接続箱（例えばリレーボックス）に設けられている。図中の矢印は、上下、左右、前後方向を示している（矢印の各方向は一例であるものとする）。
【００２２】
図１（ａ）において、暗電流ヒューズ１１は、ヒューズブロック１２における特徴的な部分に係止（下方に対して仮係止状態、上方に対して本係止状態）されている。すなわち、暗電流ヒューズ１１は、ヒューズブロック１２の電気的な接続部分から離脱するような状態（非接触状態）になっている。
【００２３】
図１（ｂ）において、暗電流ヒューズ１１は、ヒューズブロック１２の内部へと挿入されている。具体的には、図１（ａ）の状態から指で下方へ押し込まれ、これによりヒューズブロック１２の内部へと挿入されている。すなわち、暗電流ヒューズ１１は上記電気的な接続部分に接触し、図示しない電装品回路を電気的にＯＮするような状態になっている。
【００２４】
図１（ｃ）において、暗電流ヒューズ１１は、図１（ｂ）の状態から公知のプラー１３により引き抜かれ、これにより図１（ａ）の離脱状態へと移り変わっている。暗電流ヒューズ１１は、プラー１３により引き抜かれても上記特徴的な部分によって簡単にヒューズブロック１２から脱落しないようになっている。
【００２５】
図２及び図３において、ヒューズブロック１２は、絶縁性を有する合成樹脂製のキャビティ１４と、このキャビティ１４内に設けられる第一接触子１５及び第二接触子１６とを備えて構成されている。ヒューズブロック１２は、一般的なヒューズ用のヒューズブロック（図示省略）に対しキャビティ１４の一部が特徴的な構造（機構）を有する点で相違するようになっている。先ず、共通となる構造について説明をし、次いで上記特徴的な構造について説明をするものとする。
【００２６】
キャビティ１４の本体１７は、前壁１８、後壁１９、左壁２０、及び右壁２１を有するとともに、上面にヒューズ着脱開口部２２、下面に第一接触子用開口部２３及び第二接触子用開口部２４を有する略箱形状に形成されている。本体１７は、ヒューズ着脱開口部２２に連続するように、内部にヒューズ収容部２５を有している。また、本体１７は、第一接触子用開口部２３に連続するように、内部に第一接触子収容部２６を有している。さらに、本体１７は、第二接触子用開口部２４に連続するように、内部に第二接触子収容部２７を有している。ヒューズ収容部２５、第一接触子収容部２６、及び第二接触子収容部２７は、これらの空間が連通するように形成されている。
【００２７】
ヒューズ着脱開口部２２は、この外縁部における左右位置に、ヒューズ挿入時ストッパ２８及びスリット２９を有している。第一接触子収容部２６は、第一接触子１５（図４参照）を係止するためのランス３０を有している。第二接触子収容部２７は、第二接触子１６を保持するためのスリット３１を有している。スリット３１は、前壁１８及び後壁１９を上下方向真っ直ぐに切り欠くように形成されている。
【００２８】
図４ないし図７において、第一接触子１５は、公知の端子であって、電線３２の端末に設けられている。第一接触子１５は、導電性を有する金属薄板をプレス加工することにより形成されている。第一接触子１５は、電線接続部３３及び電気接触部３４を有している。電気接触部３４には、一対の弾性接触片３５が形成されている。第一接触子１５は、電気接触部３４における箱状部３６にランス３０が引っ掛かるようになっている。
【００２９】
第二接触子１６は、公知の接触子であって、図示しないバスバー本体に連続するように設けられている。第二接触子１６は、導電性を有する金属厚板をプレス加工することにより形成されている。第二接触子１６は、上記バスバー本体に連続するバスバー部３７及びこのバスバー部３７に連続する音叉端子部３８を有している。バスバー部３７は、第二接触子収容部２７のスリット３１に差し込まれて保持されるようになっている。音叉端子部３８は、第一接触子１５における一対の弾性接触片３５と同じ上下方向の位置に収容配置されるようになっている。
【００３０】
図２ないし図７において、ヒューズブロック１２における上記特徴的な構造は、ヒューズ着脱開口部２２の外縁部の左右位置に一体に設けられる部分であって、具体的には、暗電流ヒューズ１１の幅方向で一対となり、且つ上方向に突出する壁３９が該当するものとなっている。一対の壁３９は、左壁２０及び右壁２１に平行であるとともに、内面４０同士が対向するように配置形成されている。このような一対の壁３９の、各壁３９の両側部には、リブ状のガイド４１が連成されている。壁３９及びガイド４１は、これらを平面的に見ると、略括弧状となる形状に形成されている。壁３９及びガイド４１は、一般的なヒューズ用のヒューズブロック（図示省略）と見分けがつくように一段高い形状に形成されている。
【００３１】
壁３９の内面４０には、二種類の突起４２及び４３が設けられている。突起４２及び４３は、内面４０に対して直交する方向に突出形成されている。また、突起４２及び４３は、この配置が上下方向となるように形成されている。突起４２及び４３は、ヒューズ着脱開口部２２の直上で暗電流ヒューズ１１を係止することができるように、壁３９の上端側に配置形成されている。突起４２及び４３は、この間隔が暗電流ヒューズ１１の後述する頭部４６の上下方向の厚みに合うように配置形成されている。突起４２及び４３は、暗電流ヒューズ１１を係止した状態で、暗電流ヒューズ１１の後述する一対の雄タブ端子４８が第一接触子１５及び第二接触子１６に接触しない位置に配設されている。
【００３２】
ヒューズ着脱開口部２２から遠い方となる突起４２は、近い方となる突起４３よりも大きく突出するように形成されている。突起４２は、一対の壁３９の間に暗電流ヒューズ１１を案内するためのテーパ面４４、及び後述する頭部４６の上面を引っ掛けて係止するための係止面４５を有している。係止面４５は、暗電流ヒューズ１１の脱落を防止するのに十分な面積を有するように形成されている。
【００３３】
一方、突起４３は、後述する頭部４６の下面を軽く引っ掛けることができるような小さな突起として形成されている。具体的には、暗電流ヒューズ１１を仮係止することができる程度の小さな突起として形成されている。突起４３は、本実施例において、各内面４０に二つずつ設けられている。突起４３は、ガイド４１の近傍に位置するように設けられている（配置は一例であるものとする）。
【００３４】
ガイド４１は、上記の如く壁３９の両側部に連続するように設けられている。一対のガイド４１は、この間隔が暗電流ヒューズ１１の厚み（後述する頭部４６の前後方向の長さ）に合うように設定されている。ガイド４１は、プラー１３（図１参照）の使用に差し支えないような寸法で配置形成されている。
【００３５】
図４ないし図７において、暗電流ヒューズ１１は、公知の低背なものが用いられている。暗電流ヒューズ１１は、頭部４６、胴部４７、及び一対の雄タブ端子４８を有している。
【００３６】
上記構成及び構造において、突起４２を乗り越えるようにして暗電流ヒューズ１１を一対の壁３９の間に装着すると、図４及び図５に示す如く暗電流ヒューズ１１はヒューズ着脱開口部２２の直上で係止される。この時の係止状態は、上方への抜けが阻止される本係止状態になるとともに、且つ下方へは暗電流ヒューズ１１の押圧により解除される仮係止状態になる。暗電流ヒューズ１１は、突起４２、４３により係止されると、ヒューズブロック１２の電気的な接続部分から離脱するような状態（非接触状態であり、図示しない電装品回路がＯＦＦ（暗電流カット））になる。
【００３７】
暗電流ヒューズ１１の頭部４６を下方へ真っ直ぐ押し込むとともに、小さな突起４３を乗り越えるようにして暗電流ヒューズ１１をヒューズブロック１２の内部へ挿入すると、図６及び図７に示す如く暗電流ヒューズ１１はこの一対の雄タブ端子４８が第一接触子１５及び第二接触子１６に接触する。これにより、図示しない電装品回路は電気的にＯＮされる。暗電流ヒューズ１１は、これがヒューズブロック１２の内部へと挿入される際、ガイド４１によりスムーズに案内される。
【００３８】
以上、図１ないし図７を参照しながら説明してきたように、本発明によれば、ヒューズ着脱開口部２２の外側に一対の壁３９を一体に設けるとともに、この壁３９に二種類の突起４２、４３を設けることにより、従来のような専用部品となるヒューズホルダを必要とせずに暗電流ヒューズ１１の断続をすることができる。また、本発明によれば、ヒューズブロック１２の周囲に大きなスペースを確保する必要がなく、最小限の材料費の嵩みで暗電流ヒューズ１１の断続をすることができる。さらに、従来のような専用部品を必要としないことから、設計工数が嵩んでしまうことを抑えるとともに短納期での製品化を図ることができる。
【００３９】
本発明は本発明の主旨を変えない範囲で種々変更実施可能なことは勿論である。
【００４０】
上記説明においては、ヒューズ着脱開口部２２の外縁部の左右位置に壁３９を設けていたが、これに限らず前後位置に設けてもよいものとする。また、突起は引用符号４２、４３の二種類であったが、これに限らず三種類等であってもよいものとする。
【符号の説明】
【００４１】
１１…暗電流ヒューズ
１２…ヒューズブロック
１３…プラー
１４…キャビティ
１５…第一接触子
１６…第二接触子
１７…本体
１８…前壁
１９…後壁
２０…左壁
２１…右壁
２２…ヒューズ着脱開口部
２３…第一接触子用開口部
２４…第二接触子用開口部
２５…ヒューズ収容部
２６…第一接触子収容部
２７…第二接触子収容部
２８…ヒューズ挿入時ストッパ
２９…スリット
３０…ランス
３１…スリット
３２…電線
３３…電線接続部
３４…電気接触部
３５…弾性接触片
３６…箱状部
３７…バスバー部
３８…音叉端子部
３９…壁
４０…内面
４１…ガイド
４２、４３…突起
４４…テーパ面
４５…係止面
４６…頭部
４７…胴部
４８…雄タブ端子
【図１】
0005537239.tif 000002
【図２】
0005537239.tif 000003
【図３】
0005537239.tif 000004
【図４】
0005537239.tif 000005
【図５】
0005537239.tif 000006
【図６】
0005537239.tif 000007
【図７】
0005537239.tif 000008
【図８】
0005537239.tif 000009